(57)【要約】【課題】磁気テープメディアに記録された複数のプログラム全てをプログラムの開始点がずれることなく最適なビットレートでダビングを行う際にダビングするプログラム数に応じて誤差が生じてしまう問題点を解決することができる記録再生装置を提供すること。【解決手段】ユーザーがダビング操作を行ったときに、実際にダビング動作を開始する前に磁気テープを終端まで早送りし、その後始端まで巻き戻ししている際に磁気テープに記録されている時間とプログラム数を取得する。そして、プログラム数に応じてデジタル記録媒体に記録する記録時間を補正して、デジタル記録媒体の空き容量にちょうど収まるようにビットレートを調整してダビングを開始することで、前記課題を解決する。【選択図】図１
2005333303.tif 000002
【特許請求の範囲】
【請求項１】
テープ状媒体からなる第１の記録媒体から第２の記録媒体へ信号の編集を行う編集装置であって、前記第１の記録媒体に記録された情報の記録時間及び情報数を検出する第１の検出手段と、前記第２の記録媒体における記録可能時間を検出する第２の検出手段と、前記第１の記録媒体から信号の再生を行う再生手段と、前記第２の記録媒体へ信号の記録を行う記録手段とを備え、前記記録手段は、前記第１及び第２の検出手段の検出結果に基づき、前記再生手段で再生された信号が前記第２の記録媒体に収まるように信号処理を行うことを特徴とする編集装置。
【請求項２】
磁気テープに記録されたアナログ映像音声情報を再生、及び磁気テープの早送り及び巻き戻しを行う磁気テープ駆動再生手段と、デジタル記録媒体に対して書き込み及び読み出しを行うデジタル記録媒体アクセス手段と、前記磁気テープ駆動再生手段によって再生されたアナログ映像音声情報をデジタル映像音声情報に変換し前記デジタル記録媒体アクセス手段へ出力するアナログデジタル変換手段と、使用者によって操作入力が可能なユーザーインターフェース部と、情報の記憶を行う記憶手段とを備えた編集装置であって、
前記磁気テープ駆動再生手段から磁気テープに記録されている再生コントロール信号を検出する再生コントロール信号検出手段と、前記磁気テープ駆動再生手段に対して早送り及び巻き戻し処理を行う磁気テープ駆動手段と、前記磁気テープ駆動再生手段から磁気テープの始端及び終端を検知する始終端検出手段と、前記磁気テープ駆動再生手段から磁気テープに記録されているインデックス信号を検出するインデックス情報検出手段と、前記磁気テープ駆動再生手段に対して磁気テープの再生処理を行う磁気テープ再生手段と、前記アナログデジタル変換手段に対して前記デジタル記録媒体アクセス手段へ前記磁気テープ駆動再生手段から出力されたアナログ映像信号を任意のビットレートでデジタル映像信号に変換して出力させデジタル記録媒体アクセス手段に対してデジタル映像音声情報をデジタル記録媒体に書き込むように処理するデジタル記録手段と、前記デジタル記録媒体アクセス手段に対してデジタル記録媒体の空き容量を読み出すように処理をするデジタル記録媒体空き容量取得手段を有し、
前記ユーザーインターフェース部からダビング操作が入力された時、前記磁気テープ駆動手段と前記始終端検出手段を用いて終端まで磁気テープを早送りして、その後、始端まで巻き戻しを行っている際に前記再生コントロール信号検出手段と前記インデックス信号検出手段を用いて磁気テープに記録されている再生コントロール信号とインデックス信号の数を取得し、それを元に磁気テープ記録時間と磁気テープ記録時間余分量をそれぞれ算出しこれらの値からデジタル記録媒体記録時間を算出し、前記記憶手段にその内容を記憶し、デジタル記録媒体空き容量取得手段を用いてデジタル記録媒体の空き容量を取得し、その空き容量に対して記憶手段に記憶したデジタル記録媒体記録時間が収まるようにビットレートを調整し、その調整されたビットレートでデジタル記録媒体への記録と磁気テープの再生が同時に行えるようにデジタル記録手段と磁気テープ再生手段に対して指令してダビングを開始して、再生コントロール信号検出手段より再生コントロール信号がないと通知されるとデジタル記録手段に対して記録を一時停止し、再び再生コントロール信号があると通知されるとデジタル記録手段に対して記録を行うように指令し、また、新デックス信号検出手段からインデックス信号の検出が通知されると、磁気テープ再生手段に対して再生停止を指令し磁気テープ駆動手段に対して一定時間巻き戻しを指令した後、デジタル記録手段に対して記録を中断し、デジタル記録媒体の管理情報を書き込み、これらの処理が終了すると再び磁気テープ再生手段に対し再生を開始し、デジタル記録媒体アクセス手段に対して新たなプログラムとして映像音声情報の記録を開始するように指令する制御部を備えることを特徴とする編集装置。
【請求項３】
前記デジタル記録媒体の空き容量に対して記録できる最低のビットレートでの時間が前記デジタル記録媒体記録時間よりも短い時に、前記ユーザーインターフェース部に対して警告表示を行いダビングの中止やデジタル記録媒体の空き容量を確保する要求を行うことのできる警告発生手段を有することを特徴する請求項２記載の編集装置。
【請求項４】
前記ユーザーインターフェース部からダビング操作が入力された時にまず、デジタル記録媒体空き容量取得手段を用いてデジタル記録媒体の空き容量を取得し、前記空き容量がない場合は前記ユーザーインターフェース部に対してデジタル記録媒体の空き容量を確保する要求を行うことのできる警告発生手段を有することを特徴とする請求項２記載の編集装置。
【請求項５】
ダビング中に前記始終端検出手段により終端を検知した際、ダビングを終了するように前記磁気テープ再生手段とデジタル記録手段に指示し、磁気テープを取出しせずに、再度前記ユーザーインターフェース部よりダビング操作が行われたときは、前記磁気テープ駆動手段と前記始終端検出手段を用いて早送りを行わずに始端まで巻き戻し、ビットレートの調整に前記記憶装置に記憶された前記デジタル記録媒体記録時間を使用する制御部を備えることを特徴とした請求項２記載の編集装置。
【請求項６】
前記デジタル記録媒体記録時間算出後に磁気テープの取り出しをせずにデジタル記録媒体の空き容量の確保が行われた際に、前記デジタル記録媒体空き容量取得手段によりデジタル記録媒体の空き容量を取得し、その空き容量に対して前記記憶装置に記憶されているデジタル記録媒体記録時間が収まるようにビットレートを調整し、その調整されたビットレートでデジタル記録媒体への記録と磁気テープの再生が同時に行えるようにデジタル記録手段と磁気テープ再生手段に対して指令してダビングを開始することができる制御部を備えることを特徴とした請求項２及び請求項４記載の編集装置。
【発明の詳細な説明】
【技術分野】
【０００１】
本発明は、ビデオテープなどの磁気テープに記録されているアナログ映像音声情報を再生させるアナログ再生機能と、ＤＶＤなどのデジタル記録媒体にデジタル映像音声情報を記録するデジタル記録機能を有する複合機であり、特にビデオテープの内容をＤＶＤにダビングできるように構成された映像音声記録再生装置に利用して有効な編集装置に関するものである。
【背景技術】
【０００２】
例えば、映画などの映像音声情報を記録するのに、従来から知られているアナログ的に記録する磁気テープ（ビデオテープ）や、近年の圧縮符号化技術の発達に伴い普及しつつあるデジタル的に記録するＤＶＤなどが用いられている。磁気テープを駆動させて情報を記録／再生する装置としてはＶＣＰ（ビデオカセットプレイヤー）などがあり、また、光ディスクを駆動させて情報を記録／再生する装置としてはＤＶＤレコーダー２などがある。
【０００３】
ところで、最近では、上記のようなＶＣＰとＤＶＤレコーダーが一体化した複合機が提案されている。このような複合機は、磁気テープに記録されている情報をＤＶＤにダビングすることができる機能を有している。また、磁気テープの内容をＤＶＤに移し変え保管スペースを有効利用しようとする市場ニーズも向上している。
【０００４】
この種の複合機の従来技術としては、例えば特開２００１−１６５４０号公報に示される映像音声記録システムが知られている。
【０００５】
この映像音声記録システムは磁気テープの情報をＤＶＤにダビングする際、磁気テープの映像音声情報の再生時、磁気テープの再生部が磁気テープに記憶されたＶＩＳＳ信号などのインデックス信号を検出すると、その旨を示すインデックス検出通知をデジタル録画部に対して送信し、そのインデック検出通知を受けてデジタル録画部は映像音声情報の分割を実行するように構成されている。
【０００６】
しかし、この映像音声記録システムでダビング時にインデックス信号としてＶＩＳＳ信号を用いて映像音声情報の分割を行う際の問題点がある。その例を以下図４と図５を用いて説明する。
【０００７】
図４はこの映像音声記録システムで映像音声情報の分割を行う際にＶＩＳＳ信号のように検出を確定するために時間がかかる場合に、ダビング元のプログラム分割点であるＶＩＳＳ信号検出開始点とＶＩＳＳ信号の検出を確定するＶＩＳＳ信号確定点が異なるとデジタル記録媒体に記録されたプログラムの開始点と実際のプログラムの開始点が異なってしまう様子を表した模式図である。図４において、Ｍ１１はダビング元となる磁気テープであり、Ｖ１１はプログラムＢの開始点として磁気テープＭ１２に書き込まれたＶＩＳＳ信号検出開始点であり、Ｖ１２は映像音声記録システムがＶＩＳＳ信号検出開始点Ｖ１１を検出した後にＶＩＳＳ信号が検出されたことを確定するＶＩＳＳ信号確定点であり、Ｔ１は映像音声記録システムがＶＩＳＳ信号を検出してからＶＩＳＳ信号の検出確定を行うまでのＶＩＳＳ信号検出確定区間であり、ＶＩＳＳ信号検出開始点Ｖ１１からＶＩＳＳ信号確定点Ｖ１２までの区間に相当する。Ｍ１２はダビング先であるデジタル記録媒体であり、Ｄ１１はダビング後にできるプログラムＡとプログラムＢのプログラム分割点である。
【０００８】
ダビング時に、映像音声記録システムは磁気テープＭ１１を再生中に磁気テープＭ１１に書き込まれたＶＩＳＳ信号をＶＩＳＳ記録開始点Ｖ１１で検出するとＶＩＳＳ信号検出確定区間Ｔ１の間（例えば１秒間）ＶＩＳＳ信号の検出を確定するために磁気テープＭ１１を再生し続ける。そして、ＶＩＳＳ信号の検出が確定した時点（ＶＩＳＳ信号確定点Ｖ１２）で磁気テープＭ１１の再生とデジタル記録媒体Ｍ１２の記録を中断する。その後磁気テープＭ１１の再生、デジタル記録媒体Ｍ１２の記録を再開しプログラム分割点Ｄ１１を作成しプログラムＢをダビングする。そのため本来デジタル記録媒体Ｍ１２でプログラムＢとすべきプログラムをＶＩＳＳ信号検出確定区間Ｔ１分だけプログラムＡとして記録し、プログラムＢとしては本来プログラムＢとして記録される部分のうちＶＩＳＳ信号検出確定区間Ｔ１分だけ欠けた状態になってしまう。
【０００９】
次に図５は実際のプログラムの開始点とＶＩＳＳ信号の記録開始点が異なる場合にデジタル記録媒体に記録されたプログラムが実際のプログラムの開始点と異なってしまう様子を表した模式図である。図５においてＭ２１はダビング元となる磁気テープであり、Ｐ２１は実際のプログラムＢ開始点であり、Ｖ２１はＶＩＳＳ信号の検出、確定を完了するＶＩＳＳ信号検出、確定点であり、簡単のため図４においてのＶＩＳＳ信号検出開始点Ｖ１１とＶＩＳＳ信号確定点Ｖ１２を同じにした点であるが、実際にはＶＩＳＳ信号の検出開始点と確定点との間には一定の区間が存在しいる。Ｔ２は実際のプログラムの開始点Ｐ２１からＶＩＳＳ信号検出、確定点Ｖ２１までの区間であるプログラム開始点ＶＩＳＳ信号検出確定点差分区間である。Ｍ２２はダビング先であるデジタル記録媒体であり、Ｄ２１はプログラムＡとプログラムＢのプログラム分割点である。
【００１０】
実際のプログラムの開始点とＶＩＳＳ信号の記録開始点が異なる場合、ダビング時に、映像音声記録システムは磁気テープＭ２１を再生中に磁気テープＭ２１の実際のプログラムＢ開始点Ｐ２１を通過しても磁気テープＭ２１の実際のプログラムＢ開始点Ｐ２１にはＶＩＳＳ信号は書き込まれていないため磁気テープＭ２１に書き込まれたＶＩＳＳ信号を検出し確定するＶＩＳＳ信号検出、確定点まで再生を続行する、その後、ＶＩＳＳ信号の検出、確定が完了するとその時点（ＶＩＳＳ信号検出、確定点Ｖ２１）で磁気テープＭ２１の再生とデジタル記録媒体Ｍ２２の記録を中断する。その後磁気テープＭ１１の再生、デジタル記録媒体Ｍ１２の記録を再開しデジタル記録媒体にプログラム分割点Ｄ２１を作成し、プログラムＢをダビングする。そのため本来デジタル記録媒体Ｍ２２でプログラムＢとすべきプログラムをＶＩＳＳ信号検出確定点差分区間Ｔ２分（例えば１秒間）だけプログラムＡとして記録し、プログラムＢとしては本来プログラムＢとして記録される部分のうちＶＩＳＳ信号検出確定点差分区間Ｔ２分だけ欠けた状態になってしまう。
【００１１】
この問題を解決するための手段として知られている方法の例を以下図６を用いて説明する。
【００１２】
図６は実際のプログラムの開始点とＶＩＳＳ信号の検出の確定が終了する点が異なっている場合、ダビング時にプログラムを分割することによってプログラムの先頭部分が欠けてしまう事を防ぐ方法を表した模式図である。図６においてＭ３１はダビング元となる磁気テープであり、Ｐ３１は実際のプログラムＢ開始点であり、Ｖ３１はＶＩＳＳ信号の検出、確定を完了するＶＩＳＳ信号検出、確定点であり、簡単のため図４のＶＩＳＳ信号検出開始点Ｖ１１とＶＩＳＳ信号確定点Ｖ１２を同じにした点であるが、実際にはＶＩＳＳ信号の記録開始点と確定点との間には一定の区間が存在している。Ｍ３２はダビング先であるデジタル記録媒体であり、Ｄ３１はプログラムＡとプログラムＢの分割点である。Ｔ３は実際のプログラムの開始点Ｐ３１からＶＩＳＳ信号確定点Ｖ３１までの区間であるプログラム開始点ＶＩＳＳ信号検出確定点差分区間である。
【００１３】
ＶＩＳＳ信号の記録開始点とＶＩＳＳ信号の検出を確定する点が異なる場合や実際のプログラムの開始点にＶＩＳＳ信号が記録されていない場合にもプログラムＢの先頭部分がプログラム開始点ＶＩＳＳ信号検出確定点差分区間差分区間Ｔ３分（例えば２秒間）欠けないために、ダビング時に磁気テープＭ３１のＶＩＳＳ信号検出確定点Ｖ３１まで再生を行った際に、デジタル記録媒体Ｍ３２の記録と磁気テープＭ３１の再生を一旦中断し、実際のプログラム開始点Ｐ３１まで戻るようプログラム開始点ＶＩＳＳ信号検出確定点差分区間差分区間Ｔ３分だけ磁気テープＭ３１の巻き戻しを行う。その後磁気テープＭ３１のプログラムＢを再生し、デジタル記録媒体Ｍ３２にプログラムＢとしてダビングを行い、プログラム分割点Ｄ３１を作成する。つまり、プログラム開始点ＶＩＳＳ信号検出確定点差分区間Ｔ３分だけ二重に記録することで、プログラムＢの先頭部分が欠けることを防いでいる。よって、この方法では、磁気テープＭ３１に記録されているプログラム数に応じて二重に記録される時間分の容量がデジタル記録媒体Ｍ３２に余分に必要となる。
【００１４】
また一方、磁気テープからＤＶＤなどのデジタル記録媒体へのダビング手段としてＶＣＰの記録時間を計測しデジタル記録媒体へ可能な限り１枚のＤＶＤに収まるようにビットレートを調整してＤＶＤにダビングする編集装置がある。
【００１５】
この編集装置では磁気テープの内容をＤＶＤにダビングする前に、終端まで磁気テープを早送りし、その後、始端まで巻き戻している際に、再生コントロール信号の数を取得し、これを基に磁気テープ記録時間を算出する。
【００１６】
そして、デジタル記録媒体の空き容量を取得し、その空き容量に収まるよう調整されたビットレートでデジタル記録媒体へ磁気テープメディアに記録されている映像音声情報のダビングを開始するよう構成されている。
【特許文献１】特開２００１−１６５４０号公報
【発明の開示】
【発明が解決しようとする課題】
【００１７】
しかしながらこの編集装置では磁気テープの記録時間は取得できるが磁気テープに記録されたプログラム数を取得することはできない。よってプログラム分割をする際にデジタル記録媒体に二重に記録することによって生じる余分に必要となる記録時間を計算することができない。そのため、正確に最適なビットレートを算出しダビングすることができないという問題点があった。
【００１８】
本発明は、前記のような課題を解決するものでユーザが簡単な操作で磁気テープなどのアナログ記録媒体に記録された映像音声情報を正確に最適なビットレートを計算し、ＤＶＤなどのデジタル記録媒体にダビングできる編集装置を提供することを目的としている。
【課題を解決するための手段】
【００１９】
前述した目的を達成するために、請求項１に記載の発明は、テープ状媒体からなる第１の記録媒体から第２の記録媒体へ信号の編集を行う編集装置であって、前記第１の記録媒体に記録された情報の記録時間及び情報数を検出する第１の検出手段と、前記第２の記録媒体における記録可能時間を検出する第２の検出手段と、前記第１の記録媒体から信号の再生を行う再生手段と、前記第２の記録媒体へ信号の記録を行う記録手段とを備え、前記記録手段は、前記第１及び第２の検出手段の検出結果に基づき、前記再生手段で再生された信号が前記第２の記録媒体に収まるように信号処理を行うものである。また請求項２の発明は、磁気テープに記録されたアナログ映像音声情報を再生、及び、磁気テープの早送り及び巻き戻しを行う磁気テープ駆動再生部と、デジタル記録媒体に対して記録、読み出しを行うデジタル記録媒体アクセス部と、前記磁気テープ駆動再生部によって読み出されたアナログ映像音声情報をデジタル映像音声情報に変換して前記デジタル記録媒体アクセス部に出力するアナログデジタル変換部と、リモコンや、本体キーや、ＧＵＩ画面入力のユーザー入力及び、表示管やＧＵＩ画面表示などのユーザーに対する出力を行うユーザーインターフェース部と、情報の記憶を行う記憶部と、前記磁気テープに記録されているコントロール信号を磁気テープ駆動再生部から再生コントロール信号の検出を行う再生コントロール信号検出部と、前記磁気テープ駆動再生部に対して早送り、巻き戻しを処理を行う磁気テープ駆動部と、前記磁気テープ駆動再生部から前記磁気テープの始端及び終端の検出を行う始終端検出部と、前記磁気テープ駆動再生部から前記磁気テープテープに記録されているＶＩＳＳ信号を検出するＶＩＳＳ信号検出と、磁気テープ駆動再生部に対して前記磁気テープの再生処理を行う磁気テープ再生部と、前記アナログデジタル変換部に対して前記磁気テープ駆動再生部からのアナログ映像音声情報を任意のビットレートでデジタル映像音声情報に変換し前記デジタル記録媒体アクセス部に出力させ、前記デジタル記録媒体アクセス部に対してデジタル音声情報の記録を前記デジタル記録媒体に記録する処理及び、前記デジタル記録媒体アクセス部に対し前記デジタル記録媒体に管理情報を記録する処理を行うデジタル記録部と、前記デジタル記録媒体アクセス部に対し前記記録メディアの空き容量を取得するようにする処理を行うデジタル記録媒体空き容量取得部を有し、ユーザーインターフェース部からダビング操作が入力された際に、前記磁気テープ駆動部を用いて前記磁気テープを早送りして、前記始終端検出部から終端検出通知があれば、前記磁気テープ駆動部を用いて前記磁気テープを巻き戻しその際、前記再生コントロール信号検出部を用いて磁気テープに記録されている再生コントロール信号の数を取得し、ＶＩＳＳ信号検出部を用いて前記磁気テープに記録されているＶＩＳＳ信号の数を取得し、再生コントロール信号を元に磁気テープ記録時間をＶＩＳＳ信号の数を元に磁気テープ記録時間余分量をそれぞれ算出しこれらの値からデジタル記録媒体に記録する映像音声情報の総記録時間（ここでは、デジタル記録媒体記録時間とする。）を算出し、記憶部にその内容を記憶し、デジタル記録媒体空き容量取得部を用いてデジタル記録媒体の空き容量を取得し、その空き容量に対して記憶部に記憶したデジタル記録媒体記録時間が収まるようにビットレートを調整し、その調整されたビットレートでデジタル記録媒体への記録と磁気テープの再生が同時に行えるようにデジタル記録部と磁気テープ再生部に対して指令してダビングを開始して、再生コントロール信号検出部より再生コントロール信号がないと通知されるとデジタル記録部に対して記録を一時停止し、再び再生コントロール信号があると通知されるとデジタル記録部に対して記録を行うように指令し、また、ＶＩＳＳ信号検出部からＶＩＳＳ信号の検出が通知されると、磁気テープ再生部に対して再生停止を指令し磁気テープ駆動部に対して一定時間巻き戻しを指令した後、デジタル記録部に対して記録を中断し、デジタル記録媒体の管理情報を書き込み、これらの処理が終了すると再び磁気テープ再生部に対し再生を開始し、デジタル記録媒体アクセス部に対して新たなプログラムとして映像音声情報の記録を開始するように指令する制御部を備えることを特徴とする編集装置を提供する。
【００２０】
この構成において、ユーザーインターフェース部からダビング操作が入力された時には、まず、磁気テープ駆動部と始終端検出部を用いて終端まで早送りを行い、その後、始端まで巻き戻している間に、再生コントロール信号検出部を用いて再生コントロール信号を取得し、それを基に磁気テープ記録時間を算出し、ＶＩＳＳ信号検出部を用いてＶＩＳＳ信号の数を取得し、それを基に磁気テープ記録時間余分量を算出し、さらに磁気テープ記録時間と磁気テープ記録時間余分量の値からデジタル記録媒体記録時間を算出し記憶部に記憶する。
【００２１】
そして、デジタル記録媒体空き容量取得部からデジタル記録媒体の空き容量を取得し、その空き容量に収まるように調整されたビットレートでデジタル記録部を用いて、デジタル記録媒体へ磁気テープに記録されたアナログ映像音声情報をデジタル映像音声情報に変換し記録を開始する。そして、ダビング中に磁気テープの再生コントロール信号検出部から再生コントロール信号の非検出通知があった場合、すなわち無記録部分を再生している場合はデジタル記録媒体への録画を一時停止し、再生コントロール信号の検出通知がある場合、すなわち磁気テープの記録部分を再生している場合はデジタル記録媒体への録画を行う。
【００２２】
また、ダビング中に磁気テープのＶＩＳＳ信号検出部からＶＩＳＳ信号検出通知があった場合、再生を停止し、一定時間分磁気テープの巻き戻しを行い、デジタル記録媒体へは記録を中断し、デジタル記録媒体の管理情報を書き込み、これらの処理が完了すると、再び磁気テープを再生し、デジタル記録媒体へ新たなプログラムとして映像音声情報の記録を行う。
【００２３】
また、請求項３の発明は請求項１記載の編集装置においてデジタル記録媒体の空き容量に対して記録できる最低のビットレートでの時間が磁気テープ記録時間とＶＩＳＳ信号の検出数から算出される磁気テープ記録時間余分量を足し合わせたデジタル記録媒体記録時間よりも少ない時に、ユーザーインターフェース部を用いてダビングを中止する旨やデジタル記録媒体の交換を要求する旨の警告表示を行いダビング実行を行わないようにする事ができる事を特徴とする編集装置を提供する。
【００２４】
また、請求項４の発明は請求項１記載の編集装置においてユーザーインターフェース部からダビング操作が入力された時にまず、デジタル記録媒体空き容量取得部を用いてデジタル記録媒体の空き容量を取得し、空き容量がない場合はユーザーインターフェース部に対して例えばデジタル記録媒体がＤＶＤなら、ＤＶＤを交換するなどしてデジタル記録媒体の空き容量を確保する要求を行うことのできる警告発生部を有することを特徴とする編集装置を提供する。
【００２５】
また、請求項５の発明は請求項１記載の編集装置においてダビング中に始終端検出部により終端を検知した際、ダビングを終了するように磁気テープ再生手段とデジタル記録手段に指示し、磁気テープを取出しせずに、再度ユーザーインターフェース部よりダビング操作が行われたときは、磁気テープ駆動手段と始終端検出手段を用いて早送りを行わずに始短まで巻き戻し、ビットレートの調整に記憶部に記憶されたデジタル記録媒体記録時間を使用する制御部を備えることを特徴とした編集装置を提供する。
【００２６】
また、請求項６の発明は前記デジタル記録媒体記録時間算出後に磁気テープの取り出しをせずにデジタル記録媒体の空き容量の確保が行われた際に、デジタル記録媒体空き容量取得手段によりデジタル記録媒体の空き容量を取得し、その空き容量に対して記憶部に記憶されているデジタル記録媒体記録時間が収まるようにビットレートを調整し、その調整されたビットレートでデジタル記録媒体への記録と磁気テープの再生が同時に行えるようにデジタル記録手段と磁気テープ再生手段に対して指令してダビングを開始することができる制御部を備えることを特徴とした編集装置を提供する。
【発明の効果】
【００２７】
請求項１及び２により簡単なユーザー操作で例えばビデオテープのような磁気テープ１本に含まれている映像音声情報の全ての記録部分をプログラムごとに分割して、ＤＶＤなどのデジタル記録媒体１枚に最適なビットレートでダビングを行う編集装置を得る。
【００２８】
請求項３により例えばＤＶＤなどのデジタル記録媒体の空き容量に対して記録できる最低のビットレートでの時間が例えばビデオテープのような磁気テープに記録されている磁気テープ記録時間と例えばＶＩＳＳ信号の検出数から算出される磁気テープ記録時間余分量を足し合わせたデジタル記録媒体記録時間よりも少ない時には警告を発してユーザーが誤ってダビングを開始しないようにすることが可能となる編集装置を得る。
【００２９】
請求項４により例えばＤＶＤなどのデジタル記録媒体の空き容量がない場合に例えばビデオテープのような磁気テープの早送りや、巻き戻しを行いデジタル記録媒体記録時間を取得することなく、ユーザーは現在編集装置に挿入されているＤＶＤにはダビングが不可能であることが分かり、より迅速にダビングの終了または、ＤＶＤの交換によるダビングの継続を行うことが可能になる。
【００３０】
請求項５により例えばビデオテープのような磁気テープに記録されているアナログ映像音声情報を連続して複数枚の例えばＤＶＤなどのデジタル記録媒体に連続してダビングを行うときに、より迅速にダビングを行うことができる。
【００３１】
請求項６により例えばＤＶＤなどのデジタル記録媒体の空き容量に対して記録できる最低のビットレートでの時間がデジタル記録媒体記録時間よりも短く、例えばＤＶＤの交換が必要になった際に、より迅速にダビングの継続を行うことができる
【発明を実施するための最良の形態】
【００３２】
以下、本発明の実施の形態について図面を用いて説明する。
【００３３】
（実施の形態１）
図１は本発明の実施の形態１での映像音声記録再生装置の構成を示すブロック図である。
【００３４】
図１において１はアナログ映像音声情報を記録再生することができるダビング元となる磁気テープであり、いわゆるビデオテープに相当するものである。
【００３５】
３は磁気テープ１に記録された映像音声情報を再生及び磁気テープ１の早送り、巻き戻しを行う手段である磁気テープ駆動再生部であり磁気テープメディア１を走行制御するキャプスタンやローラ、信号の記録再生を行うヘッドを備えた回転ドラム、磁気テープ１に対してコントロール信号を記録したり記録されたコントロール信号やインデックス信号の一例であるＶＩＳＳ信号を検出したりするコントロールヘッド、再生された映像音声情報の各種信号処理を行う信号処理回路などからなる。
【００３６】
２はデジタル映像音声情報を記録再生することができるダビング先となるデジタル記録媒体であり、本実施の形態ではＤＶＤ（Ｄｉｇｉｔａｌ  Ｖｅｒｓａｔｉｌｅ  Ｄｉｓｃ）などのように、装置に対して着脱自在な記録媒体を想定しているがハードディスクのような固定式の記録媒体であってもよく、特に媒体を限定するものではない。
【００３７】
５はデジタル記録媒体に対してデジタル映像音声情報の記録を行ったり信号の読み出しを行うデジタル記録メディアアクセス部である。デジタル記録媒体２がＤＶＤであるとすると、ＤＶＤを回転駆動させるスピンドルモーターや、信号の記録再生を行うレーザーダイオード及び光ピックアップから構成される。
【００３８】
４は磁気テープ駆動再生部３から出力されたアナログ映像情報をデジタル映像情報に変換しデジタル記録媒体アクセス部５に出力するアナログデジタル変換部である
１３はリモコンや本体キーやＧＵＩ画面入力などのユーザー入力や表示管やＧＵＩ画面表示などの出力を行うユーザーインターフェース部である。本実施の形態では、ユーザー入力の手段としてリモコンや本体キーやＧＵＩ画面入力を挙げたがユーザーが入力または操作する手段ならばこれ以外のものも含む。また、出力として表示管やＧＵＩ画面表示を挙げたがユーザーに対して通知または表示する手段であればこれら以外のものも含む。
【００３９】
１５は情報の記憶を行う記憶部である。
【００４０】
６は磁気テープ駆動再生部３において再生されている磁気テープ１に記録されている再生コントロール信号を検出する再生コントロール信号検出部である。
【００４１】
７は磁気テープ駆動再生部３に対して磁気テープの早送り、巻き戻し処理を行う磁気テープ駆動部である。
【００４２】
８は磁気テープ駆動再生部３において再生、または早送り、巻き戻しを行っている磁気テープ１の始端や終端を検出する始終端検出部である。
【００４３】
９は磁気テープ駆動再生部３において再生、または早送り、巻き戻しを行っている磁気テープ１のインデックス信号のひとつであるＶＩＳＳ信号の検出を行うＶＩＳＳ信号検出部である。
【００４４】
１０は磁気テープ駆動再生部３に対して磁気テープ１の再生処理を行う磁気テープ再生部である。
【００４５】
１１はアナログデジタル変換部４に対して磁気テープ駆動再生部から出力されたアナログ映像情報を任意のビットレートでデジタル映像音声情報に変換し出力させ、デジタル記録媒体アクセス部５に対してデジタル記録媒体２にデジタル映像音声情報を記録するように処理するデジタル記録部である。
【００４６】
１２はデジタル記録媒体２の空き容量を読み出すようにデジタル記録メディアアクセス部５に対して処理を行うデジタル記録媒体空き容量取得部である。
【００４７】
１４はデジタル記録媒体空き容量に対して記録できる最低のビットレートでの時間が磁気テープ記録時間と磁気テープ記録時間余分量から算出されるデジタル記録媒体記録時間よりも少ない場合ユーザーインターフェース部１３に対して警告表示を行い、ダビングの中止を行うようユーザーに対して警告を発する警告発生部である。
【００４８】
１５はユーザーインターフェース部からのダビング操作入力を受け、再生コントロール信号検出部６と磁気テープ駆動部７と始終端検出部８とＶＩＳＳ信号検出部９と磁気テープ再生部１０とデジタル記録部１１とデジタル記録媒体空き容量取得部１２と警告発生部１３とを制御する手段である制御部である。
【００４９】
以上のように構成された映像音声記録再生装置の動作を図２、図３を用いて以下に説明する。
【００５０】
図２はダビング時におけるＶＩＳＳ信号の検出処理を用いてデジタル記録媒体に記録するビットレートを取得する処理（ここでは自動ダビング準備処理と呼ぶ。）を説明するためのフローチャートである。
【００５１】
Ｓ２Ａは制御部１６がユーザーインターフェース部１３からダビング操作入力を受けた時に実行する自動ダビング準備処理Ｓ２Ａであり、Ｓ２Ｂは磁気テープ１の巻き戻しを実行している時に制御部１６が再生コントロール信号検出部５を用いて再生コントロール信号を検出した際に行う再生コントロール信号検出Ｓ２ＢでありＳ２Ｂは磁気テープ１の巻き戻しを実行している時に制御部１６がＶＩＳＳ信号検出部９を用いてＶＩＳＳ信号を検出した際に行うＶＩＳＳ信号検出Ｓ２Ｂである。
【００５２】
再生コントロール信号検出Ｓ２Ｂでは、磁気テープ１を磁気テープ駆動再生部３に挿入されて始めてのダビング準備処理における巻き戻しで制御部１６が再生コントロール信号検出部６より再生コントロール信号検出通知を受けるとＳ２１の処理を行いそうでない場合は再生コントロール信号検出Ｓ２Ｂを終了する（Ｓ２０）。
【００５３】
Ｓ２０にて磁気テープ１を磁気テープ駆動再生部に挿入されて始めてのダビング準備処理における巻き戻しで制御部１６が再生コントロール信号検出部より再生コントロール信号検出通知を受けると制御部１６は記憶部１５に対して再生コントロール信号検出数のカウントを１つ上げるように指令して（Ｓ２１）再生コントロール信号検出Ｓ２Ｂを終了する。
【００５４】
ＶＩＳＳ信号検出Ｓ２Ｃでは、磁気テープ１を磁気テープ駆動再生部３に挿入されて始めてのダビング準備処理における巻き戻しで制御部１６がＶＩＳＳ信号検出部９よりＶＩＳＳ信号検出通知を受けるとＳ３１の処理を行い、そうでない場合はＶＩＳＳ信号検出Ｓ２Ｃを終了する（Ｓ３０）。
【００５５】
Ｓ３０にて磁気テープ１を磁気テープ駆動再生部３に挿入されて始めてのダビング準備処理における巻き戻しで制御部１６がＶＩＳＳ信号検出部よりＶＩＳＳ信号検出通知を受けると制御部１６は記憶部１５に対してＶＩＳＳの検出数のカウントを１つ上げるように指令して（Ｓ３１）再生コントロール信号検出Ｓ２Ｃを終了する。
【００５６】
自動ダビング準備処理Ｓ２Ａでは、磁気テープ１を磁気テープ駆動再生部３に挿入されて始めてのダビング準備処理ならばＳ１の処理を行い、そうでない場合はＳ５の処理を行う（Ｓ０）。
【００５７】
Ｓ０にて磁気テープ１が磁気テープ駆動再生部３に挿入されて初めてのダビング操作の時は制御部１６は磁気テープ駆動部７を用いて磁気テープ駆動再生部３に対して磁気テープ１の早送りを行うように指令し（Ｓ１）、次に始終端検出部８を用いて磁気テープ駆動再生部３から磁気テープ１の終端が検知されるのを待つ（Ｓ２）。終端が検知されれば制御部１６は磁気テープ駆動部７を用いて磁気テープ駆動再生部３に対して磁気テープ１の早送りを停止するように指令し（Ｓ３）、記憶部１５に対して再生コントロール信号の検出数のカウントを０に初期化して（Ｓ４）、さらに、記憶部１５に対してＶＩＳＳ信号の検出数のカウントを０に初期化しておく（Ｓ５）。なおここでは例としてＳ３、Ｓ４、Ｓ５の処理をこの順序で行うように記述したがこれらの順序は問わないし、平行して処理をしてもかまわない。
【００５８】
次に制御部１６は磁気テープ駆動部７を用いて磁気テープ駆動再生部３に対して磁気テープ１の巻き戻しを行うように指令し（Ｓ６）、次に始終端検出部８を用いて磁気テープ駆動再生部３から磁気テープ１の始端が検知されるのを待つ（Ｓ７）。Ｓ７にて制御部１６がＶＩＳＳ信号検出部９を用いて磁気テープ駆動再生部３に挿入されている磁気テープ１に記録されているＶＩＳＳ信号を検出するとＶＩＳＳ信号検出Ｓ２Ｃを行い、制御部１６が再生コントロール信号検出部６を用いて磁気テープ駆動再生部３に挿入されている磁気テープ１に記録されている再生コントロール信号を検出すると再生コントロール信号検出Ｓ２Ｂを行う。
【００５９】
Ｓ７にて始端が検知されれば制御部１６は磁気テープ駆動部７を用いて磁気テープ駆動再生部３に対して磁気テープ１の巻き戻しを停止するように指令し（Ｓ８）、制御部１６は記憶部１５から巻き戻しの間に再生コントロール信号検出Ｓ２Ｂにより加算された再生コントロール信号検出数を読み出し磁気テープ記録時間を算出し記憶部１５に磁気テープ記録時間を記憶させる（Ｓ１０）。
【００６０】
次に制御部１６は記憶部１５から巻き戻しの間にＶＩＳＳ信号検出Ｓ２Ｂにより加算されたＶＩＳＳ信号検出数を読み出しＶＩＳＳ信号検出数に応じた磁気テープ記録時間を算出し記憶部１５に磁気テープ記録時間余分量を記憶させる（Ｓ１１）。
【００６１】
さらに制御部１６は記憶部１５から磁気テープ記録時間余分量と磁気テープ記録時間とを読み出し、足し合わせることでＤＶＤ記録時間を算出し記憶部１５にＤＶＤ記録時間を記憶させる（Ｓ１１）。
【００６２】
そして、制御部１６はデジタル記録媒体空き容量取得部１２を用いてデジタル記録媒体アクセス部５からデジタル記録媒体２の空き容量を取得し（Ｓ１２）、デジタル記録媒体２の空き容量に対して記録できる最低のビットレートでの時間が記憶部１５に記憶しているＤＶＤ記録時間よりも少ない場合はダビング不可と判断し、Ｓ１５の処理を行い、そうでない場合はダビング可能と判断し、Ｓ１４の処理を行う（Ｓ１３）。
【００６３】
Ｓ１４にて制御部１６がダビング不可能と判断すると、制御部１６は警告発生部１４を用いてユーザーインターフェース部１３に対して警告メッセージを表示させる処理を行い（Ｓ１５）自動ダビング準備処理Ｓ２Ａを終了する。
【００６４】
Ｓ１３にて制御部１６がダビング可能と判断すると、制御部１６はデジタル記録媒体２の空き容量に対して記憶部１５に記憶しているＤＶＤ記録時間分の映像音声情報が収まるビットレートを算出し、記憶部１５に記憶し（Ｓ１４）自動ダビング準備処理Ｓ２Ａを終了し自動ダビング処理に移行する。
【００６５】
なお、ここでは例としてＳ１３にてダビング不可能と判断された場合Ｓ１５にて警告を発生し、ダビング準備を終了するようにしたが例えばデジタル記録媒体２がＤＶＤのような着脱可能な記録媒体であればデジタル記録媒体を交換して空き容量を確保するように警告を発し、新たにデジタル記録媒体が挿入されるとＳ１２からダビング準備処理を再開してもよいし、デジタル記録媒体を複数搭載している記録再生装置ならば別のデジタル記録媒体に代替し空き容量を確保し、Ｓ１２からダビング準備処理を再開してもよい。
【００６６】
また、なお、ここではＳ１２にて初めてデジタル記録媒体２の空き容量を取得したが、ユーザーインターフェース部からダビング開始のユーザー入力があった直後にデジタル記録媒体２の空き容量を取得し、空き容量がなければ警告を発し、空き容量を確保されるまでダビング準備処理を進めないようにしてもよい。
【００６７】
次に、磁気テープ１に記録されている映像音声情報を前記自動ダビング準備処理で得られたビットレートでダビングする自動ダビング処理を図３を用いて以下に説明する。図３はダビング時における磁気テープ１に記録されている無記録部分を除いた全ての映像音声情報をＶＩＳＳ信号の検出処理を用いてプログラムごとに分割してデジタル記録媒体２に記録する方法を説明するためのフローチャートである。
【００６８】
Ｓ３Ａは前記自動ダビング準備処理Ｓ２ＡのＳ１３にてダビング可能と判断され、終了した後に行う自動ダビング処理Ｓ３Ａで、Ｓ３Ｂは磁気テープ１の再生を行っている時に制御部１６が再生コントロール信号検出部６を用いて再生コントロール信号の無記録を検出した際に行う再生コントロール信号非検出Ｓ３Ｂであり、Ｓ２Ｃは制御部１６が磁気テープ再生部１０を用いて磁気テープ駆動再生部３に挿入されている磁気テープ１の再生を行っている時に制御部１６がＶＩＳＳ信号検出部９を用いてＶＩＳＳ信号を検出した際に行うＶＩＳＳ信号検出Ｓ３Ｃである。
【００６９】
再生コントロール信号非検出Ｓ３Ｂでは、制御部１６が再生コントロール信号検出部６より再生コントロール信号の非検出通知を受けると、デジタル記録部１１を用いてデジタル記録媒体アクセス部５に対してデジタル記録媒体２への記録を一時停止する処理を行う（Ｓ５０）。
【００７０】
制御部１６は始終端検出部８から終端検知の通知を受けるとＳ５４の処理を行い、そうでない場合はＳ５２の処理を行う（Ｓ５１）。
【００７１】
Ｓ５１にて磁気テープ１の終端検知が行われた際に制御部１６は磁気テープ再生部１０を用いて磁気テープ再生駆動部３で行っている磁気テープ１の再生動作を停止し、さらに制御部１６はデジタル記録部１１を用いてデジタル記録媒体アクセス部５に対してデジタル記録媒体５への記録停止を行いデジタル記録媒体２の管理情報を書き込むように処理し（Ｓ５４）、自動ダビング処理を終了する。
【００７２】
Ｓ５１にて磁気テープの終端検知が行われなかった際に、制御部１６は再生コントロール信号検出部６から磁気テープ駆動再生部３で再生している磁気テープ１の再生コントロール信号の検出通知を受けるとＳ５３の処理を行い、そうでなければＳ５１の処理を行う（Ｓ５２）。
【００７３】
Ｓ５２にて磁気テープ１の再生コントロール信号が検出された場合は、制御部１６はデジタル記録部１１を用いてアナログデジタル変換部４に対して磁気テープ駆動再生部３から出力されるアナログ映像音声情報をダビング準備処理で記憶部１５に記憶したビットレートのデジタル映像音声情報に変換しデジタル記録媒体アクセス部１２へ出力させ、さらにデジタル記録媒体アクセス部１２に対してデジタル映像音声情報をデジタル記録媒体２に記録するよう処理をし（Ｓ５３）、再生コントロール信号非検出処理Ｓ３Ｂを終了する。
【００７４】
ＶＩＳＳ信号検出Ｓ３Ｃでは、制御部１６がＶＩＳＳ信号検出部９よりＶＩＳＳ信号の非検出通知を受けると、デジタル記録部１１を用いてデジタル記録媒体アクセス部５に対してデジタル記録媒体２への記録を停止しデジタル記録媒体２の管理情報を書き込む処理を行い（Ｓ６０）、また、制御部１６は磁気テープ再生部１０を用いて磁気テープ駆動再生部３に対して磁気テープ１の再生を停止し、磁気テープ駆動部７を用いて磁気テープ駆動再生部３に対して磁気テープ１が実際のプログラムの開始点に戻るように巻き戻しを一定時間行う処理をする（Ｓ６１）。
【００７５】
なお、ここでは一例としてＳ６０、Ｓ６１の処理をこの順序で行うようにしたが逆にＳ６１、Ｓ６０の順序で行っても構わないし、並列に処理をしても構わない。
【００７６】
Ｓ６０、Ｓ６１の処理が終了すると制御部１６は、磁気テープ再生部１０を用いて磁気テープ駆動再生部３に対して磁気テープ１の再生処理を行い、デジタル記録部１１を用いてアナログデジタル変換部４に対して磁気テープ駆動再生部３から出力されるアナログ映像音声情報をダビング準備処理で記憶部１５に記憶させたビットレートのデジタル映像音声情報に変換しデジタル記録媒体アクセス部１２へ出力させ、さらにデジタル記録媒体アクセス部１２に対してデジタル映像音声情報を別プログラムとしてデジタル記録媒体２へ記録するよう処理をし（Ｓ６２）ＶＩＳＳ信号検出Ｓ３Ｃを終了する。
【００７７】
自動ダビング処理Ｓ３Ａでは、制御部１６は磁気テープ再生部１０を用いて磁気テープ駆動再生部３に対して磁気テープ１の再生処理を行い、デジタル記録部１１を用いてアナログデジタル変換部４に対して磁気テープ駆動再生部３から出力されるアナログ映像音声情報をダビング準備処理で記憶部１５に記憶させたビットレートのデジタル映像音声情報に変換しデジタル記録媒体アクセス部１２へ出力させ、さらにデジタル記録媒体アクセス部１２に対してデジタル映像音声情報をデジタル記録媒体２へ記録するよう処理をし（Ｓ４０）、その後始終端検出部８を用いて磁気テープ駆動再生部３から磁気テープ１の終端が検知されるのを待つ（Ｓ４１）。
【００７８】
Ｓ４１にて磁気テープ１の終端検知が行われた際に制御部１６は磁気テープ再生部１０を用いて磁気テープ再生駆動部３で行っている磁気テープ１の再生動作を停止し、さらに制御部１６はデジタル記録部１１を用いてデジタル記録媒体アクセス部５に対してデジタル記録媒体５への記録停止を行いデジタル記録媒体２の管理情報を書き込むように処理し（Ｓ５４）、自動ダビング処理ＳＢを終了する。
【００７９】
前述の説明のようにして、簡単なユーザー操作によって例えばビデオテープのような磁気テープ一本に収められたアナログ映像音声情報を、例えばＤＶＤなどのデジタル記録メディア一枚にちょうど収まるようにビットレートを調整して、各プログラムを分割してダビングを行う編集装置を得ることができ、また、例えばＤＶＤなどのデジタル記録メディア２の空き容量に対して記録できる最低のビットレートでの記録時間に対して例えばビデオテープのような磁気テープ１に記録されている映像音声情報の記録時間にプログラムの数に応じた記録時間余分量を足し合わせたデジタル記録媒体記録時間より短い場合は警告を発して誤ってダビングの実行を行わないようにできる編集装置を得ることができ、また、例えばビデオテープなどの磁気テープ１に記録されている映像音声情報を連続して複数のＤＶＤなどのデジタル記録媒体２にダビングするときに、より短い時間でダビングを行うことができる編集装置を得ることができる。
【産業上の利用可能性】
【００８０】
本発明は、複数の記録媒体のダビングに関するものであり、前記の説明ではビデオテープからＤＶＤへのダビングについて説明したが、他の組み合わせであっても構わない。
【図面の簡単な説明】
【００８１】
【図１】本発明の実施の形態における編集装置の構成を示すブロック図
【図２】同実施の形態において磁気テープからデジタル記録媒体へのダビングの準備処理を示すフローチャート
【図３】同実施の形態において磁気テープからデジタル記録媒体へのダビング処理を示すフローチャート
【図４】背景技術においてＶＩＳＳ信号検出開始点とＶＩＳＳ信号確定点が異なる場合にプログラム分割を行ったときに起こる問題点を説明するための模式図
【図５】背景技術において実際のプログラム開始点とＶＩＳＳ信号の検出確定点が異なる場合にプログラム分割を行ったときに起こる問題点を説明するための模式図
【図６】背景技術においてプログラムの分割点と実際のプログラム開始点とが異なる問題を解決する方法を示す模式図
【符号の説明】
【００８２】
１    磁気テープ
２    デジタル記録媒体
３    磁気テープ駆動再生部
４    アナログデジタル変換部
５    デジタル記録媒体アクセス部
６    再生コントロール信号検出部
７    磁気テープ駆動部
８    始終端検出部
９    ＶＩＳＳ信号検出部
１０    磁気テープ再生部
１１    デジタル記録部
１２    デジタル記録媒体空き容量取得部
１３    ユーザーインターフェース部
１４    警告発生部
１５    記憶部
【図１】
2005333303.tif 000003
【図２】
2005333303.tif 000004
【図３】
2005333303.tif 000005
【図４】
2005333303.tif 000006
【図５】
2005333303.tif 000007
【図６】
2005333303.tif 000008